(57)【特許請求の範囲】
【請求項１】
少なくとも１つの投稿ユニットを含み、ストリーム形式で表示するためのストリーム・インタフェースを提供することであって、前記少なくとも１つの投稿ユニットが、３つ以上の表面を有する３次元(3D)の形状に対応し、それぞれの表面が、インタフェース・コンポーネントのそれぞれのセットに対応する、ことと、
前記少なくとも１つの投稿ユニットのために、前記３つ以上の表面のうちの第１の表面上での表示用の第１の投稿内容及び第１のインタフェース・セットを提供することであって、前記第１の投稿内容を利用して交流するための１つ以上のインタフェース・コンポーネントを含み、前記第１のインタフェース・セットを拡張するための拡張インタフェース・コンポーネントを更に含む前記第１のインタフェース・セットを提供することと、
前記拡張インタフェース・コンポーネントのユーザ選択の指示を受信することと、
前記受信した指示に応答して、前記少なくとも１つの投稿ユニット用に、前記３つ以上の表面のうちの第２の表面上での表示のために第２の投稿内容及び第２のインタフェース・セットを提供することであって、前記第２の投稿内容を利用して交流するために、前記第１のインタフェース・セットの前記１つ以上のインタフェース・コンポーネントと比較して、より多数又は異なるクラスのインタフェース・コンポーネントを含む前記第２のインタフェース・セットを提供することと、
を含む、方法。
【請求項２】
前記第２の投稿内容及び前記第２のインタフェース・セットを提供することは、前記第１のインタフェース・セットが提供された前記第１の投稿内容と比較して、前記第１の投稿内容の拡張版を提供する、請求項１に記載の方法。
【請求項３】
前記投稿ユニットの前記第１の表面から前記投稿ユニットの前記第２の表面へと表示を移行するアニメーション効果を可能にすることを更に含む、請求項１又は請求項２に記載の方法。
【請求項４】
前記第２のインタフェース・セット用の前記インタフェース・コンポーネントは、前記第１の投稿内容および前記第２の投稿内容のタイプに特有のものである、請求項１から請求項３の何れか１項に記載の方法。
【請求項５】
前記第１の投稿内容および前記第２の投稿内容のタイプは、投稿されたリンク、フォトアルバム、ビデオ、アンケート、投票インタフェース、ビデオゲーム、チャット・セッション、ビデオチャット・セッション、又は製品購入申込みのうちの少なくとも１つに対応する、請求項４に記載の方法。
【請求項６】
前記第２のインタフェース・セットは、前記投稿ユニットの前記第１の表面上の前記第１のインタフェース・セットと共に前記第１の投稿内容の表示に戻るためのインタフェース・コンポーネントを更に含む、請求項１から請求項５の何れか１項に記載の方法。
【請求項７】
前記第１の投稿内容および前記第２の投稿内容は、販売のための品目を含み、前記第１のインタフェース・セットは、前記販売のための品目の名前、価格及び画像を表示するための１つ以上のインタフェース・コンポーネントを含む、請求項１から請求項６の何れか１項に記載の方法。
【請求項８】
前記第２のインタフェース・セットは、前記品目を購入するためのインタフェース・コンポーネントを含む、請求項７に記載の方法。
【請求項９】
前記第１の投稿内容及び前記第１のインタフェース・セットと、前記第２の投稿内容及び前記第２のインタフェース・セットとの少なくとも一方が、３Ｄ画面上での３Ｄ表示のために提供される、請求項１から請求項８の何れか１項に記載の方法。
【請求項１０】
前記第２の投稿内容及び前記第２のインタフェース・セットは、前記３Ｄ画面から浮かび上がるように３Ｄ表示のために提供される、請求項９に記載の方法。
【請求項１１】
前記３Ｄ画面の利用可能性を検出することを更に含み、
３Ｄ表示のために前記第１の投稿内容及び前記第１のインタフェース・セットを提供することと、３Ｄ表示のために前記第２の投稿内容及び前記第２のインタフェース・セットを提供することは、前記検出された３Ｄ画面の利用可能性に基づいている、請求項９又は請求項１０に記載の方法。
【請求項１２】
前記ストリーム・インタフェースは、モバイル・デバイス上で表示され、
前記拡張インタフェース・コンポーネントの前記ユーザ選択の前記指示を受信することは、前記モバイル・デバイスの方位に基づいている、請求項１から請求項１１の何れか１項に記載の方法。
【請求項１３】
前記第２のインタフェース・セット用の前記インタフェース・コンポーネントは、ユーザ指定のものである、請求項１から請求項１２の何れか１項に記載の方法。
【請求項１４】
表示のために前記第１の投稿内容及び前記第１のインタフェース・セットを提供すること並びに表示のために前記第２の投稿内容及び前記第２のインタフェース・セットを提供することは、前記投稿ユニットのためのＡＰＩベースの編集モードに基づいている、請求項１から請求項１３の何れか１項に記載の方法。
【請求項１５】
前記拡張インタフェース・コンポーネントの前記ユーザ選択の前記指示を受信すること、前記第１のインタフェース・セットに対応するユーザ・インタラクションを受信すること、又は前記第２のインタフェース・セットに対応するユーザ・インタラクションを受信することのうちの少なくとも１つについてログデータを提供することと、
を更に含む、請求項１から請求項１４の何れか１項に記載の方法。
【請求項１６】
１つ以上のプロセッサと、
命令が格納された機械読取可能媒体と、を含み、
前記命令がプロセッサによって実行された時に、
少なくとも１つの投稿ユニットを含み、ストリーム形式で表示するためのストリーム・インタフェースを提供することであって、前記少なくとも１つの投稿ユニットが、３つ以上の表面を有する３次元(3D)の形状に対応し、それぞれの表面は、インタフェース・コンポーネントのそれぞれのセットに対応することと、
前記少なくとも１つの投稿ユニットに対して、表示のために第１の投稿内容及び第１のインタフェース・セットを提供することであって、前記第１の投稿内容を利用して交流するための１つ以上のインタフェース・コンポーネントを含み、前記第１のインタフェース・セットを拡張するための拡張インタフェース・コンポーネントを更に含む前記第１のインタフェース・セットを提供することと、
前記拡張インタフェース・コンポーネントのユーザ選択の指示を受信することと、
前記受信した指示に応答して、前記少なくとも１つの投稿ユニットに対して、表示のために第２の投稿内容及び第２のインタフェース・セットを提供することであって、前記第２の投稿内容を利用して交流するために、前記第１のインタフェース・セットの前記１つ以上のインタフェース・コンポーネントと比較して、より多数又は異なるクラスのインタフェース・コンポーネントを含む前記第２のインタフェース・セット提供することと、
を含む動作を前記プロセッサに実行させ、
表示のために前記第１の投稿内容及び前記第１のインタフェース・セットを提供することは、前記３つ以上の表面のうちの第１の表面上での表示に対応し、表示のために前記第２の投稿内容及び前記第２のインタフェース・セットを提供することは、前記３つ以上の表面のうちの第２の表面上での表示に対応する、システム。
【請求項１７】
前記投稿ユニットの前記第１の表面から前記投稿ユニットの前記第２の表面へ表示を移行するアニメーション効果を可能にすることを更に含む、請求項１６に記載のシステム。
【請求項１８】
前記第２の投稿内容及び前記第２のインタフェース・セットを提供することは、前記第１のインタフェース・セットと共に提供される前記第１の投稿内容に比較して、前記第１の投稿内容の拡張版を提供する、請求項１６又は請求項１７に記載のシステム。
【請求項１９】
前記第２のインタフェース・セット用の前記インタフェース・コンポーネントは、前記第１の投稿内容および前記第２の投稿内容のタイプに特有のものである、請求項１６から請求項１８の何れか１項に記載のシステム。
【請求項２０】
命令が格納された機械読取可能媒体であって、
前記命令がシステムによって実行された時に、
少なくとも１つの投稿ユニットを含み、ストリーム形式で表示するためのストリーム・インタフェースを提供することであって、前記少なくとも１つの投稿ユニットが、３つ以上の表面を有する３次元(3D)の形状に対応し、それぞれの表面は、インタフェース・コンポーネントのそれぞれのセットに対応する、ことと、
前記少なくとも１つの投稿ユニットのために、前記３つ以上の表面のうちの第１の表面上での表示用の第１の投稿内容及び第１のインタフェース・セットを提供することであって、前記第１の投稿内容を利用して交流するための１つ以上のインタフェース・コンポーネントを含み、前記第１のインタフェース・セットを拡張するための拡張インタフェース・コンポーネントを更に含む前記第１のインタフェース・セットを提供することと、
前記拡張インタフェース・コンポーネントのユーザ選択の指示を受信することと、
前記受信した指示に応答して、前記少なくとも１つの投稿ユニット用に、前記３つ以上の表面のうちの第２の表面上での表示のために第２の投稿内容及び第２のインタフェース・セットを提供することであって、前記第２の投稿内容を利用して交流するために、前記第１のインタフェース・セットの前記１つ以上のインタフェース・コンポーネントと比較して、より多数又は異なるクラスのインタフェース・コンポーネントを含み、前記第１の表面上の前記第１のインタフェース・セットと共に前記第１の投稿内容の表示に戻るためのインタフェース・コンポーネントを更に含む前記第２のインタフェース・セットを提供することと、
を含む動作を前記システムに実行させる命令が格納された機械読取可能媒体。
【請求項２１】
命令が格納された機械読取可能媒体であって、
前記命令が、１つ以上のプロセッサによって実行された時に、請求項１から請求項１５の何れか１項に記載の方法を実現する動作を前記１つ以上のプロセッサに実行させる命令が格納された機械読取可能媒体。
【発明の詳細な説明】
【技術分野】
【０００１】
本発明は、一般に、複数のストリーム・インタフェースに関し、詳細には、ストリーム・インタフェース内に投稿ユニット（post unit）を表示することに関する。
【背景技術】
【０００２】
インターネット・ユーザは、しばしば、例えば、ソーシャルネットワーキングサービスのストリーム・インタフェース（「Ｇｏｏｇｌｅ＋」のユーザ専用ページで円滑に仲介するもの）内で、読むこと、閲覧すること、又は交流することで時間を費やす。この点に関しては、奥深い交流を可能にするインタフェースと、ユーザが交流したいと思うコンテントやエンターテインメントの特徴をユーザに提供することにより、ストリーム（ユーザ専用ページ）に対するユーザの関わりを増やす目標がある。一方、ストリームの簡単なナビゲーション及び高いユーザビリティの目標があり、そこでは、ストリームのユーザ・インタフェースは、首尾一貫していて、直観的で、単純で、すっきりしている。しかし、これら２つの目標は、相互に競合する可能性がある。
【発明の概要】
【課題を解決するための手段】
【０００３】
革新的な一態様において、開示された主題は、本方法で実施され得る。本方法は、ストリーム形式（stream format）で表示するためのストリーム・インタフェースを提供することを含み、そのストリーム・インタフェースは、第１のページ（side）及び第２のページを有する少なくとも１つの投稿ユニットを含む。
本方法は、第１のページ及び第２のページを有する少なくとも１つの投稿ユニットを含み、ストリーム形式で表示するためのストリーム・インタフェースを提供することと、上記少なくとも１つの投稿ユニットのために、上記投稿ユニットの上記第１のページ上での表示用の投稿内容（post content）及び第１のインタフェース・セットを提供することであって、上記投稿内容を利用して交流するための１つ以上のインタフェース・コンポーネントを含み、前記第１のインタフェース・セットを拡張するための拡張インタフェース・コンポーネントを更に含む第１のインタフェース・セットを提供する。
本方法は、更に、拡大インタフェース・コンポーネントのユーザ選択の指示を受信することを含む。
更に、本方法は、上記受信した指示に応答して、上記少なくとも１つの投稿ユニット用に、上記投稿ユニットの上記第２のページ上での表示のために上記投稿内容及び第２のインタフェース・セットを提供することであって、上記投稿内容を利用して交流するために、上記第１のインタフェース・セットの前記１つ以上のインタフェース・コンポーネントと比較して、より多数又は異なるクラスのインタフェース・コンポーネントを含む上記第２のインタフェース・セットを提供する。
【０００４】
本実施形態及び他の実施形態は、以下の特徴のうちの１つ以上を含むことができる。上記投稿内容及び上記第２のインタフェース・セットを提供することは、上記第１のインタフェース・セットが提供された上記投稿内容と比較して、上記投稿内容の拡張版を提供することができる。アニメーション効果は、上記投稿ユニットの上記第１のページから上記投稿ユニットの上記第２のページへと表示を移行するために提供され得る。
【０００５】
上記第２のインタフェース・セット用のインタフェース・コンポーネントは、上記投稿内容のタイプ（種別）に具体的であり得る。上記投稿内容のタイプは、投稿されたリンク、フォトアルバム、ビデオ、アンケート、投票インタフェース、ビデオゲーム、チャット・セッション、ビデオチャット・セッション、又は製品購入申込みのうちの少なくとも１つに対応可能である。上記第２のインタフェース・セットは、更に、上記投稿ユニットの上記第１のページ上の上記第１のインタフェース・セットと共に投稿内容の表示に戻るためのインタフェース・コンポーネントを含み得る。上記投稿内容は、販売のための品目（item for sale）を含むことができ、上記第１のインタフェース・セットは、販売のための品目に関連付けられた名前、価格、画像及び申込みを表示するための１つ以上のインタフェース・コンポーネントを含み得る。上記第２のインタフェース・セットは、品目を購入するためのインタフェース・コンポーネントを含み得る。
【０００６】
上記投稿内容及び上記第１のインタフェース・セットと、上記投稿内容及び上記第２のインタフェース・セットとの少なくとも一方は、３Ｄ（３次元）画面上での３Ｄ表示を提供され得る。上記投稿内容及び上記第２のインタフェース・セットは、上記３Ｄ画面から浮かび上がるように上記３Ｄ表示を提供され得る。上記３Ｄ画面の利用可能性は検出されることができ、上記３Ｄ表示のために上記投稿内容及び上記第１のインタフェース・セットを提供すること、上記３Ｄ表示のために上記投稿内容及び上記第２のインタフェース・セットを提供することは、検出された上記３Ｄ画面の利用可能性に基づくことができる。
【０００７】
上記ストリーム・インタフェースは、モバイル・デバイス上で表示することができ、上記拡張インタフェース・コンポーネントのユーザ選択の指示を受信することは、モバイ
ル・デバイスの方位に基づくことができる。
上記第２のインタフェース・セット用のインタフェース・コンポーネントは、ユーザ指定にされ得る。
表示のために上記投稿内容及び上記第１のインタフェース・セットを提供すること並びに表示のために上記投稿内容及び上記第２のインタフェース・セットを提供することは、上記投稿ユニットのためのＡＰＩベースの編集モードに基づくことができる。
ログデータは、上記拡張インタフェース・コンポーネントのユーザ選択の指示を受信すること、上記第１のインタフェース・セットに対応するユーザ・インタラクション（user interaction）を受信することと、又は上記第２のインタフェース・セットに対応するユーザ・インタラクションを受信することとの少なくとも１つについて提供され得る。
【０００８】
他の革新的な態様において、開示された主題は、システムで実施することができる。このシステムは、一つ以上のプロセッサと、命令が格納された機械読取可能媒体とを含み、上記命令がプロセッサによって実行された時に、少なくとも１つの投稿ユニットを含み、ストリーム形式で表示するためのストリーム・インタフェースを提供することと、上記少なくとも１つの投稿ユニットに対して、表示のために投稿内容及び第１のインタフェース・セットを提供することであって、上記投稿内容を利用して交流するための１つ以上のインタフェース・コンポーネントを含み、上記第１のインタフェース・セットを拡張するための拡張インタフェース・コンポーネントを更に含む上記第１のインタフェース・セットを提供する動作を上記プロセッサに実行させる。
加えて、この動作は、上記拡張インタフェース・コンポーネントのユーザ選択の指示を受信することと、上記受信した指示に応答して、上記少なくとも１つの投稿ユニットに対して、表示のために上記投稿内容及び第２のインタフェース・セットを提供することであって、上記投稿内容を利用して交流するために、上記第１のインタフェース・セットの上記１つ以上のインタフェース・コンポーネントと比較して、より多数又は異なるクラスのインタフェース・コンポーネントを含む上記第２のインタフェース・セット提供することと、を含む動作を上記プロセッサに実行させる。
上記投稿内容及び前記第１のインタフェース・セットを提供することは、上記投稿ユニットの第１のページの表示に対応し、上記投稿内容及び前記第２のインタフェース・セットを提供することは、上記投稿ユニットの第２のページの表示に対応する。
【０００９】
上記他の実施形態は以下の特徴を含むことができる。アニメーション効果は、上記投稿ユニットの上記第１のページから上記投稿ユニットの上記第２のページへ表示を移行するために供給され得る。上記投稿内容及び上記第２のインタフェース・セットを提供することは、上記第１のインタフェース・セットと共に提供される上記投稿内容と比較して、上記投稿内容の拡張版を提供することができる。上記第２のインタフェース・セット用のインタフェース・コンポーネントは、上記投稿内容のタイプに特有なものであり得る。
【００１０】
他の革新的な態様では、開示されている主題は、機械読取可能媒体で実施することができる。上記機械読取可能媒体は、命令が格納された機械読取可能媒体であって、上記命令がシステムによって実行された時に、第１のページ及び第２のページを有する少なくとも１つの投稿ユニットを含む、ストリーム形式で表示するためのストリーム・インタフェースを提供する。
この動作は、上記少なくとも１つの投稿ユニットのために、上記投稿ユニットの上記第１のページ上での表示用の投稿内容及び第１のインタフェース・セットを提供することであって、前記投稿内容を利用して交流するための１つ以上のインタフェース・コンポーネントを含み、上記第１のインタフェース・セットを拡張するための拡張インタフェース・コンポーネントを更に含む前記第１のインタフェース・セットを提供し、上記拡張インタフェース・コンポーネントのユーザ選択の指示を受信する。
加えて、この動作は、上記受信した指示に応答して、上記少なくとも１つの投稿ユニット用に、上記投稿ユニットの上記第２のページ上での表示のために上記投稿内容及び第２のインタフェース・セットを提供することであって、上記投稿内容を利用して交流するために、上記第１のインタフェース・セットの前記１つ以上のインタフェース・コンポーネントと比較して、より多数又は異なるクラスのインタフェース・コンポーネントを含み、上記投稿ユニットの上記第１のページ上の上記第１のインタフェース・セットと共に上記投稿内容の表示に戻るためのインタフェース・コンポーネントを更に含む上記第２のインタフェース・セットを提供する。
【００１１】
有利なことに、本技術は、ストリーム・インタフェース内でのユーザの関与の増加、及び投稿における複数のバランスのとれた見方を提供することを可能にする。例えば、ストリーム内の投稿ユニットが与えられると、ユーザは、投稿ユニットの第１のページ上の第１のインタフェース・セットを介して投稿ユニットのコンテントを利用して交流するための本質的な機能に迅速にアクセスすることができる。異なる（例えば、より高度な）機能にアクセスするために、ユーザは、第１のインタフェース・セット内の拡張インタフェース・コンポーネントを選択することができ、そして、投稿ユニットの第２ページの第２のインタフェースを対象として、そこでは、第２のインタフェース・セットは、投稿内容を利用して交流するための追加のインタフェース・コンポーネントを含む。
【００１２】
本技術の様々な構成が例示として示され記載されている以下の詳細な説明から、本技術のその他の構成が当業者にとって容易に明らかになることは言うまでもない。認識されるように、本技術はその他の種々の構成が可能であり、そのいくつかの詳細は、何れも本技術の範囲を逸脱せずに、様々なその他の点で変更可能である。したがって、図面及び詳細な説明は、限定的なものとしてではなく、本質的に例示的なものと見なすべきである。
【００１３】
本技術の特徴は特許請求の範囲に明記されている。しかし、説明のために、本技術のいくつかの実施形態が以下の図に明記されている。
【図面の簡単な説明】
【００１４】
【図１】ストリーム・インタフェース内の投稿ユニットの表示を提供するための例示的なネットワーク環境を示す。
【図２Ａ】投稿内容及び投稿内容を利用して交流するためのインタフェースを有する投稿ユニットの例を示す。
【図２Ｂ】投稿内容及び投稿内容を利用して交流するためのインタフェースを有する投稿ユニットの例を示す。
【図２Ｃ】投稿内容及び投稿内容を利用して交流するためのインタフェースを有する投稿ユニットの例を示す。
【図３Ａ】投稿内容及び投稿内容を利用して交流するためのインタフェースを有する投稿ユニットの他の例を示す。
【図３Ｂ】投稿内容及び投稿内容を利用して交流するためのインタフェースを有する投稿ユニットの他の例を示す。
【図４】投稿ユニットがストリーム・インタフェース内に表示されるプロセスの一例を示す。
【図５】本技術のいくつかの実装を実現することが可能な電子システムの一例を概念的に示す。
【発明を実施するための形態】
【００１５】
以下に記載する詳細な説明は、本技術の様々な構成の説明として意図され、本技術を実施できる唯一の構成を表すものではない。添付図面は、本明細書に統合され、詳細な説明の一部を構成する。詳細な説明は、本技術の完全な理解を提供する目的のために特定の部分を含む。しかし、本技術は、特定の部分に限定されるものではなく、これらの特定の部分なしに実施されてもよい。いくつかの例において、周知の構造及び構成は、本技術の概念を不明瞭にしないようにするためにブロック図の形式で示す。
【００１６】
上述のように、インターネット・ユーザは、しばしば、例えば、ソーシャルネットワーキングサービスのストリーム・インタフェース内で、読むこと、閲覧すること、又は交流することで時間を費やす。この点に関しては、奥深い交流を可能にするインタフェースと、ユーザが交流したいと思うコンテントやエンターテインメントの特徴をユーザに提供することにより、ストリームに対するユーザの関わりを増やす目標がある。一方、ストリームの簡単なナビゲーション及び高いユーザビリティの目標があり、そこでは、ストリームのユーザ・インタフェースは、首尾一貫していて、直観的で、単純で、すっきりしている。しかし、これら２つの目標は、相互に競合する可能性がある。
【００１７】
本技術は、ストリーム・インタフェース内に投稿ユニットを表示することを可能にする。ストリーム・インタフェースは、ストリーム形式で表示される。そのストリーム・インタフェースは、第１のページ（例えば、表ページ）と第２のページ（例えば、裏ページ）とを有する少なくとも１つの投稿ユニットを含む。
少なくとも１つの投稿ユニット用の投稿内容及び第１のインタフェース・セットは、投稿ユニットの第１のページ（例えば、表ページ）上に表示され、第１のインタフェース・セットは、投稿内容を利用して交流するための１つ以上のインタフェース・コンポーネントを含み、第１のインタフェース・セットを拡張するための拡張インタフェース・コンポーネント（例えば、フォトアルバムに対応する投稿ユニットのための「写真を見る（view photos）」ボタン）を更に含む。拡張インタフェース・コンポーネントのユーザ選択が受信される。ユーザ選択に応答して、少なくとも１つの投稿ユニットのための投稿内容及び第２のインタフェース・セットは、投稿ユニットの第２のページ（例えば、裏ページ）上に表示される。第２のインタフェース・セットは、第１のインタフェース・セットの１つ以上のインタフェース・コンポーネントと比較して、投稿内容を利用して交流するために、より多数又は異なるクラスのインタフェース・コンポーネントを含む。
【００１８】
図１は、ストリーム・インタフェース内の投稿ユニットの表示を提供するための例示的なネットワーク環境を示す。ネットワーク環境１００は、コンピューティング・デバイス１０２、１０４及び１０６と、コンピューティング・システム１１０とを含む。
コンピューティング・デバイス１０２〜１０６及びコンピューティング・システム１１０は、ネットワーク１０８を介して相互に通信することができる。コンピューティング・システム１１０は、それぞれ１つ以上のコンピューティング・デバイス１１２（例えば、１つ以上のサーバ）と、それぞれ１つ以上のコンピュータが読取可能な記憶装置１１４（例えば、１つ以上のデータベース）とを含むことができる。
【００１９】
コンピューティング・デバイス１０２〜１０６のそれぞれは、様々な形態の処理装置として実現される。処理装置の例としては、デスクトップ・コンピュータ、ラップトップ・コンピュータ、ハンドヘルド・コンピュータ、携帯情報端末（ＰＤＡ）、セルラー電話、ネットワーク家電、カメラ、スマートフォン、拡張汎用パケット無線サービス（ＥＧＰＲＳ）携帯電話、メディアプレーヤ、ナビゲーション・デバイス、電子メール・デバイス、ゲーム・コンソール、又は任意のこれらのデータ処理装置の組み合わせ、或いはその他のデータ処理装置を含むことができる。コンピューティング・デバイス１０２〜１０６及び１１２は、他のコンピューティング・デバイス１０２〜１０６及び１１２の何れかで実行される又は格納されたアプリケーション・ソフトウェアへのアクセスを提供又は受信することができる。
【００２０】
コンピューティング・デバイス１１２は、プロセッサと、メモリと、電子デバイス（コンピューティング・デバイス）１０２〜１０６にコンテントを提供するための通信機能とを有する任意のシステム又はデバイスであってもよい。いくつかの態様例ではコンピューティング・システム（サーバ）１１０は、単一のコンピューティング・デバイス、例えば、コンピュータ・サーバであり得る。その他の実施形態において、コンピューティング・システム１１０は、サーバ・コンピュータのアクションを実行するために一緒に機能する２つ以上のコンピューティング・デバイスで表すことができる（例えば、クラウドコンピューティング）。更に、コンピューティング・デバイス１１２は、ウェブサーバ、アプリケーションサーバ、プロキシサーバ、ネットワークサーバ、又はサーバファームを含むがこれらに限定されない様々な形のサーバで表すことができる。
【００２１】
いくつかの態様において、コンピューティング・デバイス（例えば、１０２〜１０６、１１２）は、必要な場合にデジタル信号処理回路を含む可能性がある通信インタフェース（図示せず）により無線方式で通信してもよい。この通信インタフェースは、様々なモード又はプロトコル、例えば、とりわけ、汎ヨーロッパデジタル移動通信システム（ＧＳＭ（登録商標））の音声呼び出し、ショートメッセージサービス（ＳＭＳ）、拡張メッセージングサービス（ＥＭＳ）、又はマルチメディアメッセージングサービス（ＭＭＳ）のメッセージング、符号分割多元接続（ＣＤＭＡ）、時分割多元接続（ＴＤＭＡ）、国内デジタルセルラー方式（ＰＤＣ）、広帯域符号分割多元接続（ＷＣＤＭＡ（登録商標））、ＣＤＭＡ２０００、又は次世代移動体通信システム（ＧＰＲＳ）に基づく通信を可能にすることができる。例えば、この通信は、高周波トランシーバ（図示せず）により行ってもよい。加えて、短距離通信は、例えば、Ｂｌｕｅｔｏｏｔｈ（登録商標）、Ｗｉ−Ｆｉ（登録商標）、又は他のそのようなトランシーバを使用して行ってもよい。
【００２２】
いくつかの態様において、ネットワーク環境１００は、１つ以上のネットワーク、例えば、ネットワーク１０８に及ぶ分散クライアント／サーバ・システムにしてもよい。ネットワーク１０８は、任意の数のモバイル・クライアント、固定クライアント、及びサーバを接続する、大型コンピュータ・ネットワーク、例えば、ローカル・エリア・ネットワーク（ＬＡＮ）、広域ネットワーク（ＷＡＮ）、インターネット、セルラーネットワーク、又はそれらの組み合わせてもよい。
更に、ネットワーク１０８は、バスネットワーク、星状ネットワーク、環状ネットワーク、網目状ネットワーク、星状バスネットワーク、木状又は階層ネットワーク等を含むネットワーク・トポロジのうちの任意の１つ以上を含むことができるが、これらに限定されない。いくつかの態様において、それぞれのクライアント（例えば、コンピューティング・デバイス１０２〜１０６）とコンピューティング・システム１１０（例えば、サーバ）との間の通信は、仮想私設ネットワーク（ＶＰＮ）、セキュアシェル（ＳＳＨ）トンネル、又はその他の安全なネットワーク接続を介して行うことができる。いくつかの態様において、ネットワーク１０８は、企業内ネットワーク（例えば、イントラネット）並びに１つ以上の無線アクセスポイントを更に含めてもよい。
【００２３】
いくつかの態様例において、コンピューティング・デバイス１１２は、例えば、ストリーム・インタフェース内に投稿ユニットを表示するために、記憶装置１１４に格納されているコンピュータ命令を実行する。ストリーム・インタフェースは、コンピューティング・システム１１０によってホストとして処理されるアプリケーション内に提供することができる。コンピューティング・システム１１０によってホストとして処理されるアプリケーションの例としては、ソーシャルネットワーキングサービス、検索エンジン、電子商取引サイト、コンテント・サイト（例えば、ニュース・ウェブサイト、ビデオ共有ウェブサイト）、フォーラム・サイト、又はブログを含むが、これらに限定されない。アプリケーションは、例えば、コンピューティング・デバイス１０２〜１０６の何れかによってアクセス可能である。
【００２４】
コンピューティング・システム１１０は、表示のためにストリーム・インタフェースをストリーム形式で（例えば、コンピューティング・デバイス１０２〜１０６の何れかに）提供し、そのストリーム・インタフェースは、第１のページと第２のページとを有する少なくとも１つの投稿ユニットを含む。コンピューティング・システム１１０は、少なくとも１つの投稿ユニットのために、投稿ユニットの第１のページ上での表示のために投稿内容及び第１のインタフェース・セットを（例えば、コンピューティング・デバイス１０２〜１０６の何れかに）提供する。
第１のインタフェース・セットは、投稿内容を利用して交流するための１つ以上のインタフェース・コンポーネントを含み、第１のインタフェース・セットを拡張するための拡張インタフェース・コンポーネントを更に含む。
コンピューティング・システム１１０は、拡張インタフェース・コンポーネントのユーザ選択の指示を（例えば、コンピューティング・デバイス１０２〜１０６の何れかから）受信する。コンピューティング・システム１１０は、受信した指示に応答して、少なくとも１つの投稿ユニットのために、投稿ユニットの第２のページ上での表示のために投稿内容及び第２のインタフェース・セットを提供する。
第２のインタフェース・セットは、投稿内容を利用して交流するために、第１のインタフェース・セットの１つ以上のインタフェース・コンポーネントと比較してより多数又は異なるクラスのインタフェース・コンポーネントを含む。
【００２５】
図２Ａ〜図２Ｃは、投稿内容と、投稿内容を利用して交流するためのインタフェース・セットとを有する投稿ユニットの例を示す。
図２Ａは、ストリーム・インタフェース２０２を含むアプリケーション２００を示す。アプリケーション２００は、ストリーム・インタフェースを含む任意のアプリケーションに対応し、ソーシャルネットワーキングサービス、検索エンジン、電子商取引サイト、コンテント・サイト（例えば、ニュース・ウェブサイト、ビデオ共有ウェブサイト）、フォーラム・サイト、又はブログを含むが、これらに限定されない。例えば、アプリケーション２００は、コンピューティング・システム１１０によってホストとして処理することができ、コンピューティング・デバイス１０２〜１０６の何れかによってアクセス可能である。
【００２６】
ストリーム・インタフェース２０２は、ストリーム形式での１つ以上の投稿ユニットの表示を提供する。図２Ａの例において、ストリーム・インタフェース２０２は、投稿ユニット２０４を含む。図２Ａで分かるように、投稿ユニット２０４は、投稿内容２０６ａを含む。例えば、投稿内容は、１つ以上のデジタル写真（例えば、フォトアルバム内のもの）、掲示されたリンク、ビデオ、アンケート、投票インタフェース、ビデオゲーム、チャット・セッション、ビデオチャット・セッション、又は品目（例えば、製品又はサービス）購入申込みに対応することができる。図２Ａの例において、投稿内容２０６ａは、複数の写真を有するフォトアルバムに対応する。
【００２７】
図２Ｂを参照すると、投稿内容２０６ａに加えて、投稿ユニット２０４は、投稿内容２０６ａを利用して交流するための複数のインタフェース・コンポーネントも含む。投稿ユニット２０４は、投稿内容２０６ａに対応するフォトアルバムを利用して交流するための第１のインタフェース・セット２１０を含む。第１のインタフェース・セット２１０は、投稿内容２０６ａを支持するための支持（endorse）インタフェース・コンポーネント２１２（例えば、支持ボタン）と、投稿内容２０６ａを（例えば、他のオンラインコンタクトと）共有するための共有インタフェース・コンポーネント２１４（例えば、共有ボタン）と、投稿内容２０６ａについてコメントするためのコメント・インタフェース・コンポーネント２１６（例えば、コメント・ボタン）とを含む。例示的態様において、第１のインタフェース・セット２１０は、投稿内容２０６ａを利用して交流するための本質的な特徴（例えば、デフォルトとして設定されるか又はユーザ指定のもの）に対応することができる。
【００２８】
上記のインタフェースに加えて、投稿ユニット２０４は、投稿内容２０６ａを利用して交流するために、より多くのインタフェース・コンポーネントを提供するための拡張インタフェース・コンポーネント２０８（例えば、拡張ボタン又は「写真を見る」ボタン）を含む。詳細には、アプリケーション２００にアクセスしているユーザは、拡張インタフェース・コンポーネント２０８を選択することができ、応答として、アプリケーション２００は、第１のインタフェース・セット２１０の表示から第２のインタフェース・セット２２０の表示に移行することができる。
【００２９】
図２Ｃは、投稿内容を利用して交流するために、第２のインタフェース・セット２２０を示しており、第１のインタフェース・セット２１０のコンポーネントと比較して潜在的により多数又は異なるクラスのインタフェース・コンポーネントを含む。図２Ｃの例において、第２のインタフェース・セット２２０は、支持インタフェース・コンポーネント２１２、共有インタフェース・コンポーネント２１４、及びコメント・インタフェース・コンポーネント２１６を含み、それらは、第１のインタフェース・セット２１０と共有されるインタフェース・コンポーネントである。しかし、例示的態様では、第２のインタフェース・セット２２０は、第１のインタフェース・セット２１０によって提供されるインタフェース・コンポーネントの全てを共有するわけではない。
【００３０】
第２のインタフェース・セット２２０用のインタフェース・コンポーネントは、投稿内容のタイプに特有のものである。例えば、投稿ユニット２０４は、フォトアルバムに対応するので、第２のインタフェース・セット２２０は、写真間を移動させるための前進／後退（step forward/back）インタフェース・コンポーネント２２２（例えば、前進／後退ボタン）と、写真をダウンロードするためのダウンロード・インタフェース・コンポーネント２２４（例えば、ダウンロード・ボタン）と、写真内の人／物体にタグを付けるか又は、他の方法で識別するためのタグ・インタフェース・コンポーネント２２６（例えば、タグ・ボタン）と、写真に関する追加情報（例えば、タイムスタンプ、ジオロケーション・データ）を表示するための追加情報インタフェース・コンポーネント２２８（例えば、追加情報ボタン）と、を更に含む。例示的態様において、第２のインタフェース・セット２２０は、投稿内容２０６ｂを利用して交流するための高度な特徴と共に本質的な特徴（例えば、デフォルトとして設定されるか又はユーザ指定のもの）に対応することができる。
【００３１】
第２のインタフェース・セット２２０に加えて、図２Ｃでは、投稿ユニット２０４用のコンテントに対応する投稿内容２０６ｂを更に提供する。例示的態様において、投稿内容２０６ｂは、図２Ｂの投稿内容２０６ａと同じコンテントを含む。或いは、投稿内容２０６ｂは、投稿内容２０６ａに対して異なるか又は追加のコンテント（例えば、コンテントの拡張版）を含むことができる。例えば、図２Ｂ〜図２Ｃには示されていないが、第１のインタフェース・セット２１０と共に提供される投稿内容２０６ａは、フォトアルバムの代表的な写真（例えば、サムネイル）に限定してもよく、第２のインタフェース・セット２２０と共に提供される投稿内容２０６ｂは、フォトアルバムの複数の写真（例えば、複数サムネイル）を含んでもよい。
【００３２】
第２のインタフェース・セット２２０は、第１のインタフェース・セット２１０と共に投稿内容の表示に戻るための戻りインタフェース・コンポーネント２１８（例えば、戻りボタン、又は、「閉じる」ボタン）も含むことができる。したがって、アプリケーション２００のユーザが戻りインタフェース・コンポーネント２１８を選択した場合、アプリケーション２００は、図２Ｂに示されているように、投稿内容２０６ａ及び第１のインタフェース・セット２１０の表示に戻ることができる。
【００３３】
図２Ａ及び図２Ｂを参照すると、投稿内容２０６ａ及び第１のインタフェース・セット２１０を提供することは、投稿ユニット２０４の第１のページ（例えば、表ページ）の表示に対応することができ、他方、投稿内容２０６ｂ及び第２のインタフェース・セット２２０を提供することは、投稿ユニット２０４の第２のページ（例えば、裏ページ）の表示に対応することができる。投稿ユニット２０４の第２のページ（例えば、裏ページ）が起動されると、実際の投稿インタフェース（例えば、投稿ユニット２０４）にユーザの注意を集中させるために、投稿ユニットの外側のアプリケーション領域がグレーアウトされてもよい（図示せず）。
【００３４】
アニメーション効果は、（例えば「フリップ」効果）、図２Ｂに対応する投稿ユニット２０４の第１のページから、図２Ｃに対応する投稿ユニット２０４の第２のページへの表示に移行するために使用することができる。
アニメーション効果は、コンピューティング・システム１１０側で（例えば、サーバにより）提供することができる。これに代えて、又は加えて、アニメーション効果を、ローカルで（例えば、コンピューティング・デバイス１０２〜１０６の何れかにより）提供してもよい。例えば、アプリケーション２００にアクセスしているコンピューティング・デバイス１０２〜１０６の何れかは、クライアント・デバイス上のウェブブラウザに事前にアニメーション効果をダウンロードすることができる。
【００３５】
したがって、図２Ａ〜図２Ｃは、投稿ユニットの複数のバランスのとれた見方を可能にするインタフェースの一例を示している。例示的態様において、掲示されたフォトアルバム（又はスライドショー）は、投稿内容を利用して交流するための本質的な機能を提供するインタフェース・コンポーネントにより、第１のページ（例えば、表ページ）で見ることができる。ユーザは、投稿ユニットをその第２のページ（例えば、裏ページ）に切り替える（例えば、フリップする）ことにより、より高度な機能でアルバム写真を見ることができる。投稿ユニットの第２のページは、フォトアルバム内をナビゲートするため、そして、投稿ユニットの第１のページに戻るために必要なインタフェース・コンポーネントの全て、又は略全てを有する。
【００３６】
この切り替えは、投稿ユニットの表ページ及び裏ページに限定されないことに留意されたい。この点に関しては、この切り替えは、３つ以上のページについて行える。例えば、それぞれのページは、投稿内容を利用して交流するために異なる数及び／又は異なるクラスのインタフェース・コンポーネントを備えたそれぞれのインタフェース・セットを有することができる。更に、本技術は、投稿ユニットの複数のページに限定されず、多次元及び／又は多様な表面を有する投稿ユニットに適用することができる。
【００３７】
例えば、投稿ユニットは、その形状のそれぞれの表面が異なるインタフェース・セットに対応する３次元の形状（例えば、立方体、角錐）に対応することができる。次に、それぞれのインタフェース・セットは、投稿内容を利用して交流するために異なる数及び／又は異なるクラスのインタフェース・コンポーネントを有する。加えて、アニメーション効果は（例えば、左右、上下、斜め等）様々な方向にインタフェース・セットを切り替えるために使用することができる。
したがって、表ページ及び裏ページに加えて又はその代替例として、本技術は、投稿ユニットのための複数の表面、多次元、及び／又はその他の表現を可能にすることができ、対応するインタフェース・セット間をナビゲートすることを更に可能にすることができる。
【００３８】
図３Ａ〜図３Ｂは、投稿内容及び投稿内容を利用して交流するためのインタフェースを有する投稿ユニットの他の例を示している。上記のように、第１のインタフェース・セットを伴う投稿内容は、投稿ユニットの第１のページ（例えば、表ページ）として表示することができ、第２のインタフェース・セットを伴う投稿内容は、投稿ユニットの第２のページ（例えば、裏ページ）として表示することができる。図３Ａ〜図３Ｂは、投稿ユニットの複数ページを表示することに対する追加例又は代替例を示している。特に、図３Ａ〜図３Ｂは、１つの投稿ユニットについて種々のサイズを表示することを示している。
【００３９】
図３Ａは、ストリーム・インタフェース３０２を含むアプリケーション３００を示している。アプリケーション３００は、ソーシャルネットワーキングサービス、検索エンジン、電子商取引サイト、コンテント・サイト（例えば、ニュース・ウェブサイト、ビデオ共有ウェブサイト）、フォーラム・サイト、又はブログを含むがこれらに限定されないストリーム・インタフェースを含む任意のアプリケーションに対応する。例えば、アプリケーション３００は、コンピューティング・システム１１０によってホストとして処理することができ、コンピューティング・デバイス１０２〜１０６の何れかによってアクセス可能である。
【００４０】
ストリーム・インタフェース３０２は、ストリーム形式での１つ以上の投稿ユニットの表示を提供する。図３Ａの例では、ストリーム・インタフェース３０２は、投稿ユニット３０４を含む。図３Ａで分かるように、投稿ユニット３０４は、投稿内容３０６ａを含む。例えば、投稿内容は、１つ以上のデジタル写真（例えば、フォトアルバム内のもの）、投稿されたリンク、ビデオ、アンケート、投票インタフェース、ビデオゲーム、チャット・セッション、ビデオチャット・セッション、又は製品購入申込みに対応することができる。
【００４１】
投稿内容３０６ａに加えて、投稿ユニット３０４は、投稿内容３０６ａを利用して交流するための１つ以上のインタフェース・コンポーネントを含む第１のインタフェース・セット３１０を含む。投稿ユニット３０４は、投稿内容３０６ａを利用して交流するための追加又は代替インタフェース・コンポーネントを提供するための拡張インタフェース・コンポーネント（図示せず）も含むことができる。詳細には、アプリケーション３００にアクセスしているユーザは、拡張インタフェース・コンポーネント（例えば、拡張ボタン）を選択することができ、応答として、アプリケーション３００は、第１のインタフェース・セット３１０を表示することから第２のインタフェース・セット３１４を表示することへ移行することができる。
【００４２】
図３Ｂは、第１のインタフェース・セット３１０のコンポーネントと比較して、投稿内容を利用して交流するために、潜在的により多数のインタフェース・コンポーネント又は異なるクラスのインタフェース・コンポーネントを含む第２のインタフェース・セット３１４を示す。
例示的態様において、第２のインタフェース・セット３１４は、第１のインタフェース・セット３１０の１つ以上のインタフェース・コンポーネント並びに追加のインタフェース・コンポーネントを含む。代替例において、第２のインタフェース・セット３１４は、第１のインタフェース・セット３１０の１つ以上のインタフェース・コンポーネントの全てを共有するわけではない。第２のインタフェース・セット３１４用のインタフェース・コンポーネントは、投稿内容のタイプに特有であり得る。
【００４３】
第２のインタフェース・セット３１４に加えて、図３Ｂは、投稿ユニット３０４用のコンテントに対応する投稿内容３０６ｂを更に提供する。例示的態様において、投稿内容３０６ｂは、図３Ｂの投稿内容３０６ａと同じコンテントを含む。代わって、投稿内容３０６ｂは、投稿内容３０６ａに対して異なるか又は追加のコンテント（例えば、コンテントの拡張版）を含めてもよい。
【００４４】
第２のインタフェース・セット３１４は、第１のインタフェース・セット３１０と共に投稿内容の表示に戻るための戻りインタフェース・コンポーネント３１８も含むことができる。したがって、アプリケーション３００のユーザが戻りインタフェース・コンポーネント３１８を選択した場合、アプリケーション３００は、図３Ａに示されているように、投稿内容３０６ａ及び第１のインタフェース・セット３１０の表示に戻ることができる。
【００４５】
上記のように、図３Ａ〜図３Ｂは、投稿ユニットについて種々のサイズを表示することができる。この点に関して、投稿内容３０６ａ及び第１のインタフェース・セット３１０は、投稿ユニット３０４の第１の表示サイズ３１２（例えば、通常のビューサイズ）で表示することができ、投稿内容３０６ｂ及び第２のインタフェース・セット３１４は、投稿ユニット３０４の第２の表示サイズ３１６（例えば、増大又は拡大ビューサイズ）で表示することができる。例示的態様において、第２の表示サイズ３１６の拡大表示は、投稿内容３０６ａ及び第１のインタフェース・セット３１０の１つ以上のインタフェース・コンポーネントに比較して、より多くの投稿内容３０６ｂ及び／又は第２のインタフェース・セット３１４内における追加のインタフェース・コンポーネントを提供することができる。
【００４６】
アニメーション効果（例えば、「成長（growing）」効果）は、図３Ａに対応する投稿ユニット３０４の第１の表示サイズから図３Ｂに対応する投稿ユニット３０４の第２の表示サイズへ表示を移行するために使用され得る。
アニメーション効果は、サーバ側で（例えば、コンピューティング・システム１１０により）提供することができる。これに代えて、又は加えて、アニメーション効果は、ローカルで（例えば、コンピューティング・デバイス１０２〜１０６の何れかにより）提供され得る。例えば、アプリケーション３００にアクセスしているコンピューティング・デバイス１０２〜１０６の何れかは、クライアント・デバイス上のウェブブラウザに事前にアニメーション効果をダウンロードすることができる。
【００４７】
例示的態様において、ユーザは、図３Ａの投稿ユニット３０４内のハイパーリンクをクリックすることができる。これにより、アプリケーション３００は、図３Ｂの拡大された投稿ユニットによって示されているように、アプリケーション３００のブラウザ・ウィンドウ全体にリンクされたページを開くことができる。例えば、ハイパーリンクされたページは、アプリケーション３００の上のオーバレイとしてブラウザ画面全体に現れることができる。ユーザは、通常通り、ページ全体をナビゲートする（例えば、投稿ユニット３０４によって提供されるその他のリンクされたページを閲覧することを含む）ことができ、そのユーザは、図３Ａに示されているように、（例えば、戻りインタフェース・コンポーネント３１８を介して）ストリーム・インタフェース３０２へのワンクリックの戻りオプションを所有することができる。
追加の例において、増大及び拡大された第２の投稿ユニットの一部ではないストリーム・インタフェース３０２の目に見える要素は、これらの目に見える要素上にぼかし効果（blur effect）をオーバレイすることにより、更に分離することができる。
【００４８】
したがって、図３Ａ〜図３Ｂは、第１のインタフェース・セットが提示されるか又は第２のインタフェース・セットが提示されるかに基づいて、１つの投稿ユニットについて異なる表示サイズを提供できることを示している。加えて、図２Ａ〜図２Ｃは、第１及び第２のインタフェース・セットを投稿ユニットの第１及び第２のページ上にそれぞれ表示できることを示している。この点に関して、第１のインタフェース・セット及び第２のインタフェース・セットの表示間の切り替えは、第１及び第２のページ（例えば、表面及び裏面）を表示することと第１及び第２の表示サイズ（例えば、通常のサイズ及び拡大サイズ）を表示することの組み合わせを含むことができることに留意されたい。
【００４９】
例えば、投稿内容がフォトアルバムに対応する場合、拡張インタフェース・コンポーネントのユーザ選択により、アプリケーション（例えば、コンピューティング・システム１１０上でホストとして処理されるもの）は、投稿ユニットの第１のページから第２のページへ切り替えることができ、第２のページ上の写真のユーザ選択により、アプリケーションは、選択された写真を拡大することができる。他の例において、拡張インタフェース・コンポーネントのユーザ選択により、アプリケーションは、投稿ユニットの拡大表示を提供することができ、拡大表示内の写真のユーザ選択により、アプリケーションは、限られたインタフェース・コンポーネントを備えた第１のページから追加のインタフェース・コンポーネントを備えた第２のページへと切り替えることができる。
【００５０】
図２Ａ〜図２Ｃ及び図３Ａ〜図３Ｂを参照すると、第１及び第２のインタフェース・セット間の切り替えは、ボタン（例えば、拡張インタフェース・コンポーネント）をクリックすること、ハンド・ジェスチャ（例えば、タッチスクリーン・デバイス上）、キーボード・ショートカット、又はボイス・コマンドによって達成される。頭部のジェスチャ・コントロールも、例えば、ヘッドマウント・デバイス（例えば、拡張現実感を提供するメガネ）で可能である。投稿ユニットは、丸みのあるエッジ又は角張ったエッジを有することができる。
【００５１】
更に、第１及び第２のインタフェース・セット間の切り替えは、音響効果を伴うことができる。モバイル・デバイスにおいて、この効果は、バイブレーション効果にすることができる。モバイル・デバイスにおいて、第１及び第２のインタフェース・セット間の切り替えは、（例えば、デバイスが保持される向き／やり方に基づいて）モバイル・デバイスのユーザに適応させることができる。第２のインタフェース・セットは、ユーザ指定のインタフェースを含むことができる。代わって、第２のインタフェース・セットは、投稿内容のタイプに特有のデフォルト・セットのインタフェースにすることもできる。
【００５２】
加えて、投稿ユニットのためのＡＰＩベースの編集モードが存在する場合もある。この点に関しては、サードパーティ・オンラインの商人は、投稿ユニット（例えば、ソーシャルネットワーキングサービス上に提供されるもの）のインタフェース（例えば、第１及び第２のインタフェース・セットの外観／感触）を編集することができる。例示的態様において、特定の編集モード及びユーザ・インタフェース動作変動は、限られたユーザ・セットにとって使用可能なものにすることができ、その他の編集モード及びユーザ・インタフェース動作変動は、全てのユーザにとって使用可能なものにすることができる。
【００５３】
例示的態様において、第２のインタフェース・セット（及び投稿内容に対する任意の変更）は、ユーザが拡張インタフェース・コンポーネントを選択した時にコンピューティング・システム（例えば、コンピューティング・システム１１０）からダウンロードすることができる。代わって、第２のインタフェース・セット（及び投稿内容に対する任意の変更）は、例えば、ブラウザ・レベルで（例えば、ＤＨＴＭＬ、ＨＴＭＬ、又はＪａｖａＳｃｒｉｐｔ（登録商標）を使用して）プリキャッシュすることができる。数ある特徴の中で、第２のインタフェース・セットは、スパムを報告するためのインタフェース又は投稿への直接リンクを生成するためのインタフェースを含むことができる。
【００５４】
解析に関する例示的態様において、例えば、第１及び第２のインタフェース・セットに対するユーザの関与を判断するために、第１及び第２のインタフェース・セット間の切り替えと、投稿ユニット内の任意のその他のユーザとの対話処理とは、ログ記録され得る。例示的態様において、ログデータは、投稿ユニットの作成者のみにとって認識できる。他の例において、ログデータは、投稿の作成者がアクセスを可能にした他のユーザに見える。作成者に提供される第２のインタフェース・セットのバージョンは、ログ記録されたデータの統計分析（例えば、第１及び第２のインタフェース・セットに対する全体的なユーザの関与の分析）を提供するための１つ以上のインタフェース・コンポーネントを含めてもよい。
【００５５】
図２Ａ〜図２Ｃ及び図３Ａ〜図３Ｂは、フォトアルバムに対応する投稿内容の例を示しているが、本技術は、これに限定されない。例えば、投稿内容は、投稿ユニット内で品目（例えば、販売用の製品又はサービス）を掲示するオンライン商人に対応することができる。第１のインタフェース・セットは、その品目の名前、価格、及び画像を表示することに限定することができる。第２のインタフェース・セットは、例えば、ストリーム内に表示された投稿ユニット内の単一のインタフェース・コンポーネント（例えば、ボタン）を使用して製品を購入するための追加のインタフェースを含むことができる。加えて、オンライン商人は、第２のインタフェース・セットのためのクーポン（例えば、対応するバーコード付き）並びにそのクーポンに関連するインタフェース（例えば、クーポンを印刷及び保存するためのもの）の表示を可能にすることができる。
【００５６】
他の例において、投稿内容は、ストリームの投稿ユニット内に投稿されたオンライン・アンケートに対応することができる。第１のインタフェース・セットは、アンケートのタイトル及び説明を含むことができ、第２のインタフェース・セットは、インタラクティブ・フィールドを含むことができる。インタラクティブ・フィールドの例としては、投稿ユニット内のアンケートに記入するためのラジオ・ボタン、テキスト・フィールド、コンビネーション・ボックス等を含むが、これらに限定されない。
【００５７】
他の例において、投稿ユニットは、オンライン記事に対応することができる。第１のインタフェース・セットは、その記事を共有又は保存するためのインタフェースを含むことができる。第２のインタフェース・セットは、関連の記事を表示するためのインタフェース等の追加のインタフェースを含むことができる。
【００５８】
加えて、第１のインタフェース・セットと第２のインタフェース・セットとの切り替えは、３Ｄ画面について提供することができる。この点に関して、第１及び第２のインタフェース・セット間の切り替えは、第２のインタフェース・セットが画面から浮かび上がるための効果を提供することを含むことができる。
加えて、普通のＴＶ画面の場合、上記のアニメーション効果（例えば、第１のページと第２のページとを「めくる（flipping）」ため、又は、第１及び第２の表示サイズ間を切り替えるためのもの）は、レッド／シアン、グリーン／マゼンタ、ブルー／イエロー、行と列とが交互に配置された、又は市松模様を含んでもよいが、これらに限定されない標準的な３Ｄモードで実施することができる。これらの実施例は、ユーザ用の３Ｄメガネを必要とする可能性がある。
【００５９】
例示的態様において、ユーザは、ユーザの嗜好（例えば、３Ｄ効果の有無）を設定することができる。更に、ストリーム・インタフェース（例えば、投稿ユニットを含む）によりアプリケーションをホストとして処理するコンピューティング・システム（例えば、コンピューティング・システム１１０）は、ユーザが特殊メガネを必要としない３Ｄ画面の利用可能性（例えば、オートステレオスコピック、マルチスコピック、ボリュメトリック、又はホログラフィック表示）を検出することができる。その場合、コンピューティング・システムは、普通の画面に２Ｄ効果のバージョンを供給しながら、このような検出された画面に対して３Ｄ効果のバージョンを供給することができる。
【００６０】
本明細書に提供されている特定の例は、ユーザの情報がメモリに格納されていることについて記述している可能性があるが、ユーザは、メモリからユーザ情報を削除するか、及び／又は、ユーザ情報をメモリに格納させないことを選ぶことができる。例示的態様において、ユーザは、メモリに格納されているユーザ情報のタイプを選択的に限定するか又は（例えば、コンピューティング・システム上でリモートとは対照的にユーザのデバイス上でローカルに）ユーザ情報が格納されるメモリを選択するように適切なプライバシー設定を調整することができる。例示的態様において、ユーザ情報は、ユーザによって提供されるか、又は指示がない限り、ユーザの特定の識別情報（例えば、ユーザ名）が含まれたり、及び／又は、共有したりしない。
【００６１】
図４は、投稿ユニットがストリーム・インタフェース内に表示されるプロセスの一例を示している。開始ブロック４０２に続いて、ステップ４０４において、ストリーム・インタフェースは、表示のためにストリーム形式で提供される。ストリーム・インタフェースは、第１のページと第２のページとを有する少なくとも１つの投稿ユニットを含む。
【００６２】
ステップ４０６において、少なくとも１つの投稿ユニットのために、投稿ユニットの第１のページ上での表示のために投稿内容及び第１のインタフェース・セットが提供される。第１のインタフェース・セットは、投稿内容を利用して交流するための１つ以上のインタフェース・コンポーネントを含み、第１のインタフェース・セットを拡張するための拡張インタフェース・コンポーネントを更に含む。ステップ４０８において、拡張インタフェース・コンポーネントのユーザ選択の指示は、受信される。
【００６３】
ステップ４１０において、受信した指示に応答して、少なくとも１つの投稿ユニットのために、投稿ユニットの第２のページ上での表示のために投稿内容及び第２のインタフェース・セットを提供する。第２のインタフェース・セットは、投稿内容を利用して交流するために、第１のインタフェース・セットの１つ以上のインタフェース・コンポーネントと比較してより多数又は異なるクラスのインタフェース・コンポーネントを含む。
【００６４】
第２のインタフェース・セットは、投稿ユニットの第１のページ上の第１のインタフェース・セットと共に投稿内容の表示に戻るためのインタフェース・コンポーネントを更に含むことができる。投稿内容及び第２のインタフェース・セットを提供することは、第１のインタフェース・セットと共に提供される投稿内容に対して、投稿内容の拡張版を提供することができる。投稿ユニットの第１のページから投稿ユニットの第２のページへと表示を移行するためにアニメーション効果が提供され得る。
【００６５】
第２のインタフェース・セット用のインタフェース・コンポーネントは、ユーザ指定のものにすることができる。第２のインタフェース・セット用のインタフェース・コンポーネントは、投稿内容のタイプに特有のものにすることができる。投稿内容のタイプは、例えば、投稿されたリンク、フォトアルバム、ビデオ、アンケート、投票インタフェース、ビデオゲーム、チャット・セッション、ビデオチャット・セッション、又は製品購入申込みのうちの少なくとも１つに対応することができる。
【００６６】
投稿内容は、販売のための品目を含むことができ、第１のインタフェース・セットは、販売品目の名前、価格、及び画像を表示するための１つ以上のインタフェース・コンポーネントを含むことができる。第２のインタフェース・セットは、品目を購入するためのインタフェース・コンポーネントを含むことができる。
【００６７】
投稿内容及び第１のインタフェース・セットと、投稿内容及び第２のインタフェース・セットとの少なくとも一方は、３Ｄ画面上での３Ｄ表示のために提供され得る。投稿内容及び第２のインタフェースは、３Ｄ画面から浮かび上がるように３Ｄ表示のために提供され得る。３Ｄ画面の利用可能性は、検出されることができ、３Ｄ表示のために投稿内容及び第１のインタフェース・セットを提供すること、又は、３Ｄ表示のために投稿内容及び第２のインタフェース・セットを提供すること、或いは、その両者を提供することは、検出された３Ｄ画面の利用可能性に基づくことができる。
【００６８】
ストリーム・インタフェースは、モバイル・デバイス上で表示することができ、拡張インタフェース・コンポーネントのユーザ選択の指示を受信することは、モバイル・デバイスの向きに基づくことができる。
【００６９】
表示のために投稿内容と第１のインタフェース・セットとを提供すること、及び／又は、表示のために投稿内容と第２のインタフェース・セットとを提供することは、投稿ユニットのためのＡＰＩベースの編集モードに基づくことができる。
【００７０】
ログデータは、拡張インタフェース・コンポーネントのユーザ選択の指示を受信すること、第１のインタフェース・セットに対応するユーザとの対話処理を受信すること、又は第２のインタフェース・セットに対応するユーザとの対話処理を受信することのうちの少なくとも１つについて提供され得る。
【００７１】
次に、プロセスは、終了ブロック４１２で終了する。
【００７２】
図５は、本技術のいくつかの実装を実現することが可能な電子システムの一例を概念的に示す。電子システム５００は、コンピュータ、電話、ＰＤＡ又は電子デバイスの任意の他の種類であってもよい。このような電子システムは、様々なタイプのコンピュータ読取可能媒体と、様々なその他のタイプのコンピュータ読取可能媒体用のインタフェースとを含む。
電子システム５００は、バス５０８と、プロセッサ（複数も可）５１２と、システム・メモリ５０４と、ＲＯＭ（読み取り専用メモリ）５１０と、記憶装置（permanent storage device）５０２と、入力装置インタフェース５１４と、出力装置インタフェース５０６と、ネットワーク・インタフェース５１６とを含む。
【００７３】
バス５０８は、電子システム５００の多数の内部デバイスを通信可能に接続するシステム・バス、周辺装置バス、及びチップセット・バスの全てをまとめて表している。例えば、バス５０８は、プロセッサ５１２と、ＲＯＭ５１０、システム・メモリ５０４、及び記憶装置５０２とを通信可能に接続する。
【００７４】
これらの様々なメモリ・ユニットから、プロセッサ５１２は、本件開示のプロセスを実行するために、実行すべき命令と処理すべきデータを取り出す。プロセッサは、異なる実施例において、単一プロセッサ又はマルチコア・プロセッサであり得る。
【００７５】
ＲＯＭ５１０は、プロセッサ５１２及びその他のモジュールが必要とする静的データ及び命令を格納する。その一方で、記憶装置５０２は、読み取り書き込みメモリ・デバイスである。このデバイスは、電子システム５００がオフの時でも命令及びデータを記憶する不揮発性メモリ・ユニットである。本件開示のいくつかの実施例では、記憶装置５０２として大容量記憶装置（例えば、磁気ディスク又は光ディスクと、それに対応するディスク・ドライブ）を使用する。
【００７６】
他の実施例では、記憶装置５０２として取り外し可能記憶装置（例えば、フロッピー（登録商標）・ディスク又はフラッシュ・ドライブと、それに対応するディスク・ドライブ）を使用する。記憶装置５０２のように、システム・メモリ５０４は、読み取り書き込みメモリ・デバイスである。しかし、記憶装置５０２とは異なり、システム・メモリ５０４は、ランダム・アクセス・メモリ等の揮発性読み取り書き込みメモリである。システム・メモリ５０４は、ランタイム時にプロセッサが必要とする命令及びデータの一部を格納する。
いくつかの実施例では、本件開示のプロセスは、システム・メモリ５０４、記憶装置５０２、或いはＲＯＭ５１０に格納される。例えば、様々なメモリ・ユニットは、いくつかの実施例により、ストリーム・インタフェース内に投稿ユニットを表示するための命令を含む。これらの様々なメモリ・ユニットから、プロセッサ５１２は、いくつかの実施例のプロセスを実行するために、実行すべき命令と処理すべきデータを取り出す。
【００７７】
バス５０８は、入力装置インタフェース５１４及び出力装置インタフェース５０６にも接続する。入力装置インタフェース５１４は、ユーザが電子システムに対して情報を伝達し、コマンドを選択できるようにするものである。入力装置インタフェース５１４と共に使用される入力装置としては、例えば、英数字キーボード及びポインティング・デバイス（「カーソル制御デバイス」とも呼ばれる）を含む。出力装置インタフェース５０６は、例えば、電子システム５００によって生成された画像の表示を可能にする。出力装置インタフェース５０６と共に使用される出力装置としては、例えば、プリンタ及び表示装置、例えば、陰極線管（ＣＲＴ）又は液晶ディスプレイ（ＬＣＤ）を含む。いくつかの実施例は、例えば、入力装置と出力装置の両方として機能するタッチスクリーン等のデバイスを含む。
【００７８】
最後に、図５に示されているように、バス５０８は、ネットワーク・インタフェース５１６により電子システム５００をネットワーク（図示せず）にも結合する。このように、コンピュータは、ローカル・エリア・ネットワーク（「ＬＡＮ」）、広域ネットワーク（「ＷＡＮ」）、イントラネット等の複数コンピュータのネットワーク、又は、インターネット等における複数ネットワークの中でネットワークの一部に結合することができる。電子システム５００の一部又は全部のコンポーネントは本件開示と共に使用することができる。
【００７９】
上記の特徴及び適用例の多くは、コンピュータ読取可能記憶媒体（コンピュータ読取可能媒体とも呼ばれる）上に記録された１組の命令として指定されるソフトウェア・プロセスとして実行される。これらの命令が１つ以上の処理装置（例えば、１つ以上のプロセッサ、複数プロセッサからなるコア、或いはその他の処理装置）によって実行される場合、これらの命令は、その命令に指示されているアクションをプロセッサ（複数も可）に実行させる。コンピュータ読取可能媒体の例としては、ＣＤ−ＲＯＭ、フラッシュ・ドライブ、ＲＡＭチップ、ハード・ドライブ、ＥＰＲＯＭ等を含むが、これらに限定されない。コンピュータ読取可能媒体は、無線方式又は有線接続により通過する搬送波及び電子信号を含まない。
【００８０】
本明細書では、「ソフトウェア」という用語は、読み取り専用メモリに常駐するファームウェア又は磁気記憶装置に格納されたアプリケーションを含むものであり、どちらもプロセッサによる処理のためにメモリに読み込むことができる。また、実施例によっては、本件開示の複数のソフトウェア態様は、本件開示の別個のソフトウェア態様でありながら、より大きいプログラムのサブパートとして実現することができる。実施例によっては、複数のソフトウェア態様を別々のプログラムとして実現することもできる。最後に、本明細書に記載されている１つのソフトウェア態様を一緒に実現する複数の別々のプログラムの任意の組み合わせは本件開示の範囲内である。実施例によっては、ソフトウェア・プログラムは、１つ以上の電子システム上で動作するようにインストールされると、そのソフトウェア・プログラムの動作を実行する１つ以上の特定の機械実施例を定義する。
【００８１】
コンピュータ・プログラム（プログラム、ソフトウェア、ソフトウェア・アプリケーション、スクリプト、又はコードとしても知られている）は、コンパイル済み又は解釈済み言語、宣言形又は手続き形言語を含む、任意の形のプログラミング言語で作成することができる。コンピュータ・プログラムは、スタンドアロン・プログラムとして、或いは、モジュール、コンポーネント、サブルーチン、オブジェクト、又はコンピューティング環境での使用に適した他のユニットとして、これらの何れかを含む、任意の形態で配備することができる。
コンピュータ・プログラムは、ファイル・システム内のファイルに対応することができるが、対応する必要があるわけではない。プログラムは、その他のプログラム又はデータを保持する１つのファイルの一部分（例えば、マークアップ言語文書に記憶された１つ以上のスクリプト）内に格納するか、当該プログラムに専用の単一ファイル内に格納するか、或いは複数の協調ファイル（例えば、１つ以上のモジュール、サブプログラム、又はコードの一部分を格納するファイル）内に格納することができる。コンピュータ・プログラムは、１つのコンピュータ上で実行するか、或いは１つのサイトに位置するか又は複数のサイトに分散されて通信ネットワークによって相互接続された複数のコンピュータ上で実行するように配備することができる。
【００８２】
上記のこれらの機能は、デジタル電子回路、コンピュータ・ソフトウェア、ファームウェア、又はハードウェアで実現することができる。これらの技法は、１つ以上のコンピュータ・プログラム・プロダクトを使用して実現することができる。プログラム可能プロセッサ及びコンピュータはモバイル・デバイスに含まれるか又はモバイル・デバイスとしてパッケージ化することができる。プロセス及びロジック・フローは、１つ以上のプログラム可能プロセッサ並びに１つ以上のプログラム可能論理回路によって実行することができる。汎用及び特殊目的のコンピューティング・デバイス並びに記憶装置は、通信ネットワークにより相互接続することができる。
【００８３】
いくつかの実施例は、機械読取可能媒体又はコンピュータ読取可能媒体（これらは、コンピュータ読取可能記憶媒体、機械読取可能メディア、又は機械読取可能記憶媒体とも呼ばれる）にコンピュータ・プログラム命令を格納する、マイクロプロセッサ、ストレージ、及びメモリ等の電子部品を含む。このようなコンピュータ読取可能媒体のいくつかの例としては、ＲＡＭ、ＲＯＭ、読み取り専用コンパクト・ディスク（ＣＤ−ＲＯＭ）、記録可能コンパクト・ディスク（ＣＤ−Ｒ）、書き換え可能コンパクト・ディスク（ＣＤ−ＲＷ）、読み取り専用デジタル多用途ディスク（例えば、ＤＶＤ−ＲＯＭ、二重層ＤＶＤ−ＲＯＭ）、様々な記録可能／書き換え可能ＤＶＤ（例えば、ＤＶＤ−ＲＡＭ、ＤＶＤ−ＲＷ、ＤＶＤ＋ＲＷ等）、フラッシュ・メモリ（例えば、ＳＤカード、ミニＳＤカード、マイクロＳＤカード等）、磁気又はソリッドステート・ハード・ドライブ、読み取り専用及び記録可能Ｂｌｕ−Ｒａｙ（登録商標）ディスク、超高密度光ディスク、任意のその他の光又は磁気メディア、並びにフロッピー・ディスクを含む。
コンピュータ読取可能媒体は、少なくとも１つの処理装置によって実行可能であって、様々な動作を実行するための複数の命令セットを含む、コンピュータ・プログラムを格納することができる。コンピュータ・プログラム又はコンピュータ・コードの例としては、例えば、コンパイラによって生成される機械コード、並びに、インタープリタを使用してコンピュータ、電子部品、又はマイクロプロセッサによって実行される高レベル・コードを含むファイルを含む。
【００８４】
上記の考察において、主にソフトウェアを実行するマイクロプロセッサ又はマルチコア・プロセッサに言及しているが、いくつかの実施例は、１つ以上の集積回路、例えば、特定用途向け集積回路（ＡＳＩＣ）又はフィールド・プログラマブル・ゲート・アレイ（ＦＰＧＡ）によって実行される。実施例によっては、このような集積回路は集積回路自体に格納された命令を実行する。
【００８５】
本明細書並びに本出願の何れかの請求項で使用されるように、「コンピュータ」、「サーバ」、「プロセッサ」、及び「メモリ」という用語は何れも、電子デバイス又はその他の技術的デバイスを指している。これらの用語は、人又は人のグループを除外するものである。
本明細書のために、ディスプレイ又は表示という用語は、電子デバイス上で表示することを意味する。本明細書並びに本出願の何れかの請求項で使用されるように、「コンピュータ読取可能媒体」及び「コンピュータ読取可能メディア」という用語は、コンピュータによって読み取り可能な形で情報を格納する、有形かつ物理的な対象物に完全に限定される。これらの用語は、任意の無線信号、有線ダウンロード信号、及び任意の他の一過性の信号を除外するものである。
【００８６】
ユーザとの交流を可能にするために、本明細書に記載されている主題の実施例は、ユーザに対して情報を表示するための表示装置、例えば、ＣＲＴ（陰極線管）又はＬＣＤ（液晶ディスプレイ）モニターと、それによりユーザがコンピュータに対して入力を行うことができるキーボード及びポインティング・デバイス、例えば、マウス又はトラックボールとを有するコンピュータ上で実現することができる。ユーザとの交流を可能にするために、その他の種類のデバイスを使用することもでき、例えば、ユーザに提供されるフィードバックは、任意の形の感覚フィードバック、例えば、視覚フィードバック、聴覚フィードバック、又は触覚フィードバックにすることができ、ユーザからの入力は、音響入力、音声入力、又は触覚入力を含む、任意の形で受け取ることができる。
加えて、コンピュータは、ユーザによって使用されるデバイスに文書を送信し、そのデバイスから文書を受信することによって、ユーザと交流することができ、例えば、ウェブブラウザから受信した要求に応答してユーザのクライアント・デバイス上のウェブブラウザにウェブページを送信することによって交流することができる。
【００８７】
本明細書に記載されている本件開示の実施形態は、バックエンド・コンポーネント、例えば、データ・サーバを含むか、ミドルウェア・コンポーネント、例えば、アプリケーションサーバを含むか、或いはフロントエンド・コンポーネント、例えば、それによりユーザが本明細書に記載されている本件開示の一実施例を利用して交流することができるグラフィカル・ユーザ・インタフェース又はウェブブラウザを有するクライアント・コンピュータを含むか、１つ以上のこのようなバックエンド・コンポーネント、ミドルウェア・コンポーネント、又はフロントエンド・コンポーネントの任意の組み合わせを含む、コンピューティング・システムで実現することができる。
システムのコンポーネントは、任意の形又は手段のデジタル・データ通信、例えば、通信ネットワークによって相互接続することができる。通信ネットワークの例としては、ローカル・エリア・ネットワーク（「ＬＡＮ」）及び広域ネットワーク（「ＷＡＮ」）、インターネットワーク（例えば、インターネット）、並びにピアツーピア・ネットワーク（例えば、アドホック・ピアツーピア・ネットワーク）を含む。
【００８８】
コンピューティング・システムは、クライアントとサーバを含むことができる。クライアントとサーバは、一般に相互に遠く離れており、典型的に通信ネットワークにより交流する。クライアントとサーバの関係は、それぞれのコンピュータ上で実行され、相互にクライアント・サーバの関係を有するコンピュータ・プログラムによって発生する。いくつかの実施形態において、サーバは、クライアント・デバイスにデータ（例えば、ＨＴＭＬページ）を送信する（例えば、クライアント・デバイスと交流するユーザにデータを表示し、そのユーザからユーザ入力を受信するため）。クライアント・デバイスで生成されたデータ（例えば、ユーザとの対話処理の結果）は、サーバ側でクライアント・デバイスから受信することができる。
【００８９】
開示されているプロセスにおける諸ステップの任意の特定の順序又は階層は手法例の例示であることは言うまでもない。設計上の好みに基づいて、プロセスにおける諸ステップの特定の順序又は階層を再編成できること或いは例示されている全てのステップを実行できることは言うまでもない。諸ステップのうちのいくつかは同時に実行することができる。例えば、特定の状況では、多重タスク処理及び並列処理が有利である可能性がある。その上、上記の諸実施形態における様々なシステム・コンポーネントの分離は全ての実施形態においてこのような分離を要求するものと理解すべきではなく、上記のプログラム・コンポーネント及びシステムは一般に単一ソフトウェア・プロダクトに一緒に統合できるか又は複数のソフトウェア・プロダクトにパッケージ化できることを理解されたい。
【００９０】
上記の説明は、任意の当業者が本明細書に記載されている様々な態様を実践できるように提供されたものである。これらの態様に対する様々な変更は当業者にとって容易に明らかになり、本明細書に定義されている包括的原理はその他の態様に適用することができる。
したがって、特許請求の範囲は本明細書に示されている諸態様に限定するためのものではなく、請求項の表現と一致した全範囲が授与されるべきであり、その請求項においては単数形の要素に対する言及は、特にそのように指定されない限り、「唯一のもの（one and only one）」を意味するものではなく、むしろ「１つ以上（one or more）」を意味するものである。特に他の指定がない限り、「いくつかの（some）」という用語は１つ以上を指している。男性形の代名詞（例えば、彼の（his））は女性形及び中性形（例えば、彼女の（her）及びそれの（its））を含み、逆もまた同様である。見出し及び小見出しがある場合、便宜上使用されているだけであり、主題開示を限定するものではない。
【００９１】
「態様（aspect）」等の語句は、このような態様が本技術にとって不可欠であること又はこのような態様が本技術の全ての構成に適用されることを意味するものではない。一態様に関連する開示内容は全ての構成に適用される場合もあれば、１つ以上の構成に適用される場合もある。一態様等の語句は１つ以上の態様を指す可能性があり、逆もまた同様である。「構成（configuration）」等の語句は、このような構成が本技術にとって不可欠であること又はこのような構成が本技術の全ての構成に適用されることを意味するものではない。一構成に関連する開示内容は全ての構成に適用される場合もあれば、１つ以上の構成に適用される場合もある。一構成等の語句は１つ以上の構成を指す可能性があり、逆もまた同様である。
【図１】
0006338594.tif 000002
【図２Ａ】
0006338594.tif 000003
【図２Ｂ】
0006338594.tif 000004
【図２Ｃ】
0006338594.tif 000005
【図３Ａ】
0006338594.tif 000006
【図３Ｂ】
0006338594.tif 000007
【図４】
0006338594.tif 000008
【図５】
0006338594.tif 000009